(57)【要約】【課題】大腿四頭筋群、大殿筋の鍛錬は、引き締まった太腿とお尻の形成し、日常生活で重要な脚力を強化し、筋肉量の増加による基礎代謝量増加効果があり体脂肪がつきにくい体質に改善できる。そのための効果的な運動がスクワットである。しかしスクワットは一見単純な運動だが、十分な運動負荷を得るためには、効果的なフォームで行う必要があり簡単ではない。【解決手段】上記課題の運動をだれでも簡単にできるようにするため、  クッション性を備えた軟質素材のシートを円筒状に閉じた形に成形し、円筒形に閉じられた軟質素材のシートの筒面の筒方向に沿う方向に取り付けられた、円筒状に閉じられた軟質素材のシートの取り付け面と反対側で環状に閉じる構造のベルトを備え、クッション性を備えた軟質素材のシートを円筒状に閉じた形に成形された円筒の中に、俵状の形に成形されたクッションを、着脱可能な構造で押し込んだフィットネス器具を提案する。【選択図】図１
2020124463.tif 000002
【特許請求の範囲】
【請求項１】
クッション性を備えた軟質素材のシートを円筒状に閉じた形に成形し、円筒形に閉じられた軟質素材のシートの筒面の筒方向に沿う方向に取り付けられた、円筒状に閉じられた軟質素材のシートの取り付け面と反対側で環状に閉じる構造のベルトを備え、円筒状に閉じられた軟質素材のシートの円筒の中に、俵状に成形されたクッションを、着脱可能な構造で押し込んだフィットネス器具。
【請求項２】
クッション性を備えた軟質素材のシートを円筒状に閉じた円筒の長さと、俵状に成形されたクッションの長さは、同じか、もしくはクッションのほうが長く、クッション性を備えた軟質素材のシートを円筒状に閉じた円筒内の全域に、俵状に成形されたクッションが円筒の内側から充填される構造の、請求項１に記載のフィットネス器具。
【請求項３】
請求項１及び請求項２に記載のクッション性を備えた軟質素材のシートは対象物を傷つけないように柔らかく、かつ滑り止めの表面加工がなされた、請求項１及び請求項２に記載のフィットネス器具。
【請求項４】
使用者の胴体に装着する環状に閉じる構造のベルトから、滑り止め加工がなされた軟質素材のシートで覆われた円筒状に成形されたクッションを、柔軟性を備えたシートまたは紐で、ベルトとクッションの円筒面が平行になるように吊り下げたフィットネス器具。
【発明の詳細な説明】
【技術分野】
【０００１】
本発明は、フィットネス器具に関する。さらに詳しくは、大腿四頭筋群、大殿筋などの人体で最大の筋肉群を鍛錬するフィットネス器具に関するものである。
【背景技術】
【０００２】
大腿四頭筋群、大殿筋の鍛錬は、外観的には引き締まった太腿とお尻の形成、健康増進を図るうえでは、歩行、階段上りなど日常生活で重要な脚力を強化し、さらには大筋群であるがゆえに筋肉量の増加による基礎代謝量増加効果があり、体脂肪がつきにくい体質に改善できる。そのための効果的な運動がスクワットである。しかしスクワットは一見単純な動作に見えて、十分な運動負荷を得るためには効果的なフォームで行う必要があり簡単ではない。すでに効果的なフォームで行うための器具は存在する。一つはスミスマシンのようなフィットネスジムなどにある大型のマシンである。しかし、より手軽に家庭で効果的なスクワットができることには大きなメリットがある。すでに家庭用のコンパクトな器具も提案されている。本発明に関連する先行技術を開示する。
【先行技術文献】
【特許文献】
【０００３】
【特許文献１】実開平０５−０５３６６４
【発明の概要】
【発明が解決しようとする課題】
【０００４】
開示した先行技術はコンパクトなスクワット補助器具ではあるが、家庭で用いる場合４個のキャスターを壁面に走行させる壁面の広さが必要になる。またキャスターの転がり音が発生するかもしれない。壁に限らず柱などわずかな垂直面さえあればガイドにして運動でき、静粛で使い心地のいい器具が望ましい。
【課題を解決するための手段】
【０００５】
上記の課題を解決するための本発明の請求項１に係るフィットネス器具は、  クッション性を備えた軟質素材のシートを円筒状に閉じた形に成形し、円筒形に閉じられた軟質素材のシートの筒面の筒方向に沿う方向に、円筒状に閉じられた軟質素材のシートの取り付け面と反対側で環状に閉じる構造のベルトを備え、円筒状に閉じられた軟質素材のシートの円筒の中に、俵状に成形されたクッションを、着脱可能な構造で押し込んだフィットネス器具。
【０００６】
上記の課題を解決するための本発明の請求項２に係るフィットネス器具は、クッション性を備えた軟質素材のシートを円筒状に閉じた円筒の長さと、俵状に成形されたクッションの長さは、同じか、もしくはクッションのほうが長く、クッション性を備えた軟質素材のシートを円筒状に閉じた円筒内の全域に、俵状に成形されたクッションが円筒の内側から充填される構造の、請求項１に記載のフィットネス器具。
【０００７】
上記の課題を解決するための本発明の請求項３に係るフィットネス器具は、請求項１及び請求項２に記載のクッション性を備えた軟質素材のシートは対象物を傷つけないように柔らかく、かつ滑り止めの表面加工がなされた、請求項１及び請求項２に記載のフィットネス器具。
【０００８】
上記の課題を解決するための本発明の請求項４に係るフィットネス器具は使用者の胴体に装着する環状に閉じる構造のベルトから、滑り止め加工がなされた軟質素材のシートで覆われた円筒状に成形されたクッションを、柔軟性を備えたシートまたは紐で、ベルトとクッションの円筒面が平行になるように吊り下げたフィットネス器具。
【発明の効果】
【０００９】
本発明のフィットネス器具は、効果的なフォームと運動の軌道でのスクワットを簡単に行うことができる補助器具で、使用者の体重を効果的に用い、より強い運動効果をえられるため、引き締まった太腿とお尻の形成し、歩行、階段上りなど日常生活で重要な脚力を強化し、美容と健康増進を図ることができる。
【図面の簡単な説明】
【００１０】
【図１】図１は、本フィットネス器具実施例１の全体構造を示した斜め前方よりの斜視図である。
【図２】図２は、本フィットネス器具実施例１においてクッションを取り外した状態の図である。
【図３】図３は、本フィットネス器具を用いた運動のスタート時の姿勢を表した斜め上方よりの斜視図である。
【図４】図４は、本フィットネス器具を装着するときのベルトの締結方法を示した図である。
【図５】図５は、本フィットネス器具実施例１を用いたスクワット運動のスタート時の姿勢を表した側面図である。
【図６】図６は、本フィットネス器具実施例１を用いてのスクワット運動でのしゃがみこんだ状態を表した側面図である。
【図７】図７は、本フィットネス器具実施例１を用ないスクワット運動のしゃがみこんだ状態を表した側面図である。
【図８】図８は、本フィットネス器具を装着し椅子に座った状態を表した側面図である。
【図９】図９は、本フィットネス器具実施例２のタイプ１全体構造を示した斜め前方よりの斜視図である。
【図１０】図１０は、本フィットネス器具実施例２本フィットネス器具実施例２の側面図である。
【図１１】図１１は、本フィットネス器具実施例２を用いたスクワット運動のスタート時の姿勢を表した側面図である。
【図１２】図１２は、本フィットネス器具実施例２を用いてのスクワット運動でのしゃがみこんだ状態を表した側面図である。
【図１３】図１３は、本フィットネス器具実施例２のタイプ２全体構造を示した斜め前方よりの斜視図である。
【発明を実施するための形態】
【００１１】
クッション性を備えた軟質素材のシートを円筒状に閉じた形に成形し、円筒状に閉じた円筒の中に、俵状に成形されたクッションを着脱可能に押し込んだ、円筒形に閉じられた軟質素材のシートの筒方向に沿う方向で取り付けた、円筒状に閉じられた軟質素材のシートの取り付け面と反対側で環状に閉じる構造のベルトを備えたフィットネス器具。
【実施例１】
【００１２】
図１に示すのは本器具の全体図である。ここでは大まかに構成を説明する。１ベルトaに２バックルa、３バックルbと４ベルト留め具を組み立て、１ベルトを５クッションクローラーにしっかりと固着する。円筒状に閉じられた５クッションクローラーの筒の中に６インナークッションを押し込んで組み立てる。
【００１３】
図２に示されているように、６インナークッションは５クッションクローラーから取り外すことができ、６インナークッションは単体で枕などとしても使うことができる。
【００１４】
図３は本器具の使用時の初期姿勢の斜視図である。本器具を背中に装着し５クッションクローラーを壁面にあててややもたれかかるように、両足を壁面から適切な距離を離して立つ。適切な距離とはスクワット時につま先より膝が前に出ない位置が目安とされる。また足の位置を壁面から離すほど運動負荷は大きくなる。
【００１５】
図４は本器具のベルト装着構造を示した斜視図である。１ベルトの一端にバックルaを外せないように折り返したベルトを熱溶着、もしくは縫い合わせによって取り付ける。１ベルトのもう一端には４ベルト留め具とバックルbを着脱可能な構造で取り付ける。１ベルトは５クッションクローラーに外れないように固着する。４ベルト留め具はベルトの長さを調整する機能を持つ。→a方向に１ベルトの先端を引き出すことにより長さを短くすることができる。使用者が装着するときに２バックルaと３バックルbをロックする。
ある。
【００１６】
図５は本器具を使用時の初期姿勢の側面図である。本器具を腰のあたりに装着すると６インナークッションの重みで５クッションクローラーは１ベルトより下方に垂れ下がる。この状態で壁面にもたれかかるように立つと図５に示す姿勢になる。更に使用者がしゃがみ始めると（→ｂ方向に移動する）→ｃのように６インナークッションが回転し、５クッションクローラーを巻きあげる。このため壁面に対し５クッションクローラーが滑ることなく、スムーズに使用者はしゃがむことができる。５クッションクローラーが壁面に対し滑らないので壁面と５クッションクローラー双方の摩耗を防ぐことができる。
【００１７】
図６は本器具を使用時のしゃがんだ姿勢の側面図である。A上体の重心がB膝関節の位置から遠い位置になることがわかる。大腿四頭筋、及び殿筋群への運動負荷が大きくなる。更にこの姿勢から立ち上がる時（→d方向に移動する）、６インナークッションは→eの方向に回転し５クッションクローラーを巻き下げ、５クッションクローラーが壁面を滑ることなく使用者はスムーズに立ち上がることができる。図５の姿勢と図６の姿勢を交互に繰り返すことが本器具を使用してのスクワットとなる。  
【００１８】
図７は本器具を用いずに行うスクワットのしゃがんだ姿勢の側面図である。A上体の重心がC膝関節の位置に近くなっている。転倒しないようにバランスとるため上体を前に傾けるためである。本器具を使用したしゃがんだ姿勢の図６と比較すると本器具を使用したほうが高い運動負荷が得られることがわかる。
【００１９】
図８は本器具を装着し椅子に座った状態を表した側面図である。本器具はスクワット補助の使用以外にも、椅子の座った時に背筋を伸ばした姿勢を保つための補助器具としても使用できる。  
【実施例２】
【００２０】
実施例２は実施例１のクッションクローラー、インナークッションの円筒径を大きくすることなくスクワット運動の上下のストロークを大きくできる構造である。実施例１との相違は１０５クッションクローラーの１０１ベルトとの接続部分にある。
【００２１】
図９に示すのは本器具実施例２タイプ１の全体図である。１０１ベルトに１０２バックルa、１０３バックルbと１０４ベルト留め具を組み立てておく。１０５クッションクローラーには円筒部から平面状に張り出した部分があり、１０５クッションクローラータイプ１の円筒部と平行になるように張り出した平面の先端に１０１ベルトを固着する。円筒状に閉じられた１０５クッションクローラーの筒の中に１０６インナークッションを充填する。
【００２２】
図１０に示されているように、１０５クッションクローラータイプ１の円筒部分から平面部が張り出した形状になる。１０５クッションクローラータイプ１の円筒部分に、俵状（円筒形）に成形された１０６インナークッションが隙間のないように充填される。１０５クッションクローラータイプ１の平面状に延長された円筒部分とは反対の端に、１０５クッションクローラータイプ１の円筒部と平行になるように１０１ベルトを固着する。１０５クッションクローラータイプ１の円筒部から１０１ベルト取り付け位置へ延長された平面部（E寸法部分）は十分な柔軟性を備えている。E寸法を大きくすればF寸法を大きくすることなくスクワット運動の上下のストロークを大きくできる。
【００２３】
図１１は本器具を使用時の初期姿勢の側面図である。本器具を腰のあたりに装着すると１０６インナークッションの重みで１０５クッションクローラータイプ１は１０１ベルトより下方に垂れ下がる。この状態で壁面にもたれかかるように立つと図１１に示す姿勢になる。更に使用者がしゃがみ始める（→ｂ方向に移動する）と→ｃのように１０６インナークッションが回転し、１０５クッションクローラータイプ１を巻きあげる。このため壁面に対し１０５クッションクローラーが滑ることなく、使用者はスムーズにしゃがむことができる。１０５クッションクローラータイプ１が壁面に対し滑らないので壁面と１０５クッションクローラータイプ１双方の摩耗を防ぐことができる。
【００２４】
図１２は本器具を使用時のしゃがんだ姿勢の側面図である。大腿四頭筋、及び殿筋群への運動負荷が大きくなる。更にこの姿勢から立ち上がる時（→d方向に移動する）、１０６インナークッションは→eの方向に回転し１０５クッションクローラータイプ１の巻きがもどり、１０５クッションクローラータイプ１が壁面を滑ることなく使用者はスムーズに立ち上がることができる。図１１の姿勢と図１２の姿勢を交互に繰り返すことが本器具を使用してのスクワットとなる。  実施例２の構造は実施例１と同等の姿勢で運動できるうえ、図１０のE寸法を大きくすれば、スクワット運動の上下のストロークが大きくなるため、特に高身長のユーザーでも、より深くしゃがむことができ、より高負荷の運動まで可能になる。
【００２５】
図１３に示すのは本器具実施例２タイプ２の全体図である。タイプ１との違いは、１１６クッションクローラータイプ２は平面部の張り出しがなく、代わりに２本かそれ以上の本数の１１５接続紐で１０１ベルトと、１１６クッションクローラータイプ２の円筒部と平行になるように接続される。タイプ１とタイプ２の違いは、１０５クッションクローラータイプ１の平面部の張り出しが１１５接続紐に置換されているだけで、運動方法、効果原理は同じである。
【００２６】
図８に示す椅子に座った時の背筋を伸ばした姿勢を保つための補助器具としての効果も実施例２タイプ１と実施例タイプ２は実施例１と同等に有する。
【符号の説明】
【００２７】
実施例１に関する符号
１    ベルト
２    バックルa
３    バックルb
４    ベルト留め具
５    クッションクローラー
６  インナークッション
A  上体の重心
B  膝の位置
C  上体の重心と膝の位置との水平距離（図６）
D  上体の重心と膝の位置との水平距離（図７）
【００２８】
実施例２に関する符号
１０１    ベルト
１０２    バックルa
１０３    バックルb
１０４    ベルト留め具
１０５    クッションクローラータイプ１
１０６    インナークッション
１１５    接続紐
１１６    クッションクローラータイプ２
【図１】
2020124463.tif 000003
【図２】
2020124463.tif 000004
【図３】
2020124463.tif 000005
【図４】
2020124463.tif 000006
【図５】
2020124463.tif 000007
【図６】
2020124463.tif 000008
【図７】
2020124463.tif 000009
【図８】
2020124463.tif 000010
【図９】
2020124463.tif 000011
【図１０】
2020124463.tif 000012
【図１１】
2020124463.tif 000013
【図１２】
2020124463.tif 000014
【図１３】
2020124463.tif 000015
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
本発明器具は使用者の胴体に装着する環状に閉じる構造のベルトから、滑り止め加工がなされた軟質素材のシートで覆われた俵状または円筒形に成形されたクッションを、柔軟性を備えたシートまたは紐で、ベルトとクッションの円筒面が平行になるように吊り下げた構造の器具で、効果的なフォームと運動の軌道でスクワットを行うための補助器具。
【手続補正２】
【補正対象書類名】明細書
【補正対象項目名】０００５
【補正方法】変更
【補正の内容】
【０００５】上記の課題を解決するための本発明のフィットネス器具は、  クッション性を備えた軟質素材のシートを円筒状に閉じた形に成形し、円筒形に閉じられた軟質素材のシートの筒面の筒方向に沿う方向に、円筒状に閉じられた軟質素材のシートの取り付け面と反対側で環状に閉じる構造のベルトを備え、円筒状に閉じられた軟質素材のシートの円筒の中に、俵状に成形されたクッションを、着脱可能な構造で押し込んだフィットネス器具。
【手続補正３】
【補正対象書類名】明細書
【補正対象項目名】０００６
【補正方法】変更
【補正の内容】
【０００６】上記の課題を解決するための本発明のフィットネス器具は、クッション性を備えた軟質素材のシートを円筒状に閉じた円筒の長さと、俵状に成形されたクッションの長さは、同じか、もしくはクッションのほうが長く、クッション性を備えた軟質素材のシートを円筒状に閉じた円筒内の全域に、俵状に成形されたクッションが円筒の内側から充填される構造の、フィットネス器具。
【手続補正４】
【補正対象書類名】明細書
【補正対象項目名】０００７
【補正方法】変更
【補正の内容】
【０００７】上記の課題を解決するための本発明のフィットネス器具は、本器具に使用するクッション性を備えた軟質素材のシートは、対象物を傷つけないように柔らかく、かつ滑り止めの表面加工がなされた、フィットネス器具。
【手続補正５】
【補正対象書類名】明細書
【補正対象項目名】０００８
【補正方法】変更
【補正の内容】
【０００８】上記の課題を解決するための本発明の請求項１に係るフィットネス器具は、使用者の胴体に装着する環状に閉じる構造のベルトから、滑り止め加工がなされた軟質素材のシートで覆われた俵状または円筒形に成形されたクッションを、柔軟性を備えたシートまたは紐で、ベルトとクッションの円筒面が平行になるように吊り下げた構造の器具で、効果的なフォームと運動の軌道でスクワットを行うための補助器具である。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
使用者の胴体に装着する環状に閉じる構造のベルトから、滑り止め加工がなされた軟質素材のシートで覆われた俵状または円筒形に成形されたクッションを、柔軟性を備えたシートまたは紐で、ベルトとクッションの円筒面が平行になるように吊り下げた構造の器具で、効果的なフォームと運動の軌道でスクワットを行うための補助器具。